(57)【要約】【課題】パーシャル表示機能を備えたアクティブマトリクス型液晶表示装置において、消費電力を低減する。【解決手段】１フレーム期間の中、最初の８０水平期間、即ち、第１ライン〜第８０ラインに対応する表示領域をパーシャル表示領域とし、残りの２３９ラインに対応する表示領域を背景表示領域１０Ｂとして設定している。そして、パーシャル表示領域１０Ｐについては、パーシャル表示領域制御信号ＥＮＢＳＣはロウレベルに設定され、上述したＳＣ反転駆動が行われるが、背景表示領域については、パーシャル表示領域制御信号ＥＮＢＳＣはハイレベルに固定され、この背景表示領域１０Ｐに対応したＳＣ反転制御ユニットはすべて動作を停止する。【選択図】  図６
2006154088.tif 000002
【特許請求の範囲】
【請求項１】
行列状に配置された複数の画素と、
前記複数の画素毎に配置された画素電極と、
前記画素電極と対向電極の間に封入された液晶と、
前記画素電極それぞれに接続され、ゲート信号に応じてスイッチングするスイッチング素子と、
前記ゲート信号を垂直クロックに基づいて出力する垂直駆動回路と、
各行の画素に対応して配置された第１及び第２の補助容量ラインと、
所定の周期で第１及び第２の補助容量ラインの電位が互いに逆相とするように反転駆動を行う補助容量ライン反転駆動回路と、
前記第１補助容量ラインと前記画素電極との間に接続された第１の補助容量と、
前記第２補助容量ラインと前記画素電極との間に接続された第２の補助容量と、
パーシャル表示領域制御信号に応じて、複数の画素で構成される表示領域の中から選択されたパーシャル表示領域の各画素に前記スイッチング素子を通して所望のビデオ信号を供給してパーシャル表示を行う水平駆動回路と、を備え、
前記補助容量ライン反転駆動回路は、パーシャル表示領域に対しては前記反転駆動を行い、パーシャル表示領域以外の表示領域である背景表示領域に対しては、前記反転駆動を停止することを特徴とするアクティブマトリクス型液晶表示装置。
【請求項２】
前記水平駆動回路は、前記背景表示領域の各画素に背景表示信号を供給することを特徴とする請求項１に記載のアクティブマトリクス型液晶表示装置。
【請求項３】
前記画素が接続されたドレインラインと、このドレインラインにプリチャージ信号を供給するプリチャージ回路を備え、このプリチャージ回路は前記背景表示領域に対しては前記プリチャージ信号を前記背景表示信号として供給することを特徴とする請求項１に記載のアクティブマトリクス型液晶表示装置。
【請求項４】
前記水平駆動回路は、前記背景表示領域に対してはビデオ信号の供給を停止することを特徴とする請求項３に記載のアクティブマトリクス型液晶表示装置。
【請求項５】
前記背景表示領域に対する前記垂直クロックの周波数が前記パーシャル表示領域に対する前記垂直クロックの周波数に比して高いことを特徴とする請求項１に記載のアクティブマトリクス型液晶表示装置。
【請求項６】
前記垂直駆動回路は、前記垂直クロックに応じて垂直スタート信号を順次シフトする直列に接続された複数のシフトレジスタユニットと、これらのシフトレジスタユニットのうち、互いに隣接する第１のシフトレジスタユニット及び第２のシフトレジスタユニットの出力と前記ゲート信号の出力を可能にする出力イネーブル信号が入力されたアンド回路を備え、
前記背景表示領域に対しては前記ゲート信号の出力を可能にするように前記出力イネーブル信号のレベルを固定したことを特徴とする請求項１に記載のアクティブマトリクス型液晶表示装置。
【請求項７】
前記水平駆動回路は、行方向に隣接する画素に互いに極性が異なるビデオ信号を供給することを特徴とする請求項１に記載のアクティブマトリクス型液晶表示装置。
【請求項８】
前記補助容量ライン反転駆動回路は、前記パーシャル表示領域制御信号に応じて、前記パーシャル表示領域に対しては前記反転駆動を行い、パーシャル表示領域以外の表示領域である背景表示領域に対しては、前記反転駆動を停止することを特徴とする請求項１に記載のアクティブマトリクス型液晶表示装置。
【発明の詳細な説明】
【技術分野】
【０００１】
本発明は、アクティブマトリクス型液晶表示装置に関し、特にパーシャル表示機能及び、補助容量ラインの反転駆動機能を有したアクティブマトリクス型表示装置に関する。
【背景技術】
【０００２】
従来、薄膜トランジスタ（ＴＦＴ：Thin Film Transistor）のようなスイッチング素子を介して、各画素の画素電極にビデオ信号を供給するアクティブマトリクス型液晶表示装置において、画素電極に対向する対向電極及び補助容量に交流電位を与える対極ＡＣ駆動を行うことにより、液晶の劣化を防止していた。
【０００３】
しかし、１水平期間ごとに各ドレインラインに与えるビデオ信号の極性を反転する対極ＡＣ反転駆動では、１水平期間ごとに、対向電極及び補助容量ラインの電位の極性を反転させるため、対向電極及び全補助容量ラインにおける容量性の負荷及びこれらによる消費電力は依然として大きかった。
【０００４】
そこで、さらなる低消費電力化を実現するため、対向電極の電位を一定にした状態で、補助容量ラインの電位の極性を一定周期で反転さることにより、ビデオ信号の正・負極性間の電位差を小さくして、水平駆動回路の消費電力を下げるという駆動方式（以下、「補助容量ライン反転駆動方式」、略して「ＳＣ反転駆動」と称する。）が特許文献１に開示されている。
【０００５】
また、そのようなＳＣ反転駆動において生じる容量結合及びそれに起因する画像のムラを防止するために、ゲートライン方向に隣り合う画素電極に対して極性が異なる電圧を印加し、図８のように、上下左右隣り合う画素全てに逆の極性の電圧を印加するドット反転駆動方式が特許文献２に開示されている。
【０００６】
一方、パワーセーブ時に、液晶表示領域の中から選択されたパーシャル表示領域の画素にのみ、スイッチング素子を通して、所望のビデオ信号を供給して、パーシャル表示を行い、残余の表示領域については背景表示領域として設定し、背景表示領域の画素に対しては、スイッチング素子を通して白信号又は黒信号を供給するようにしたパーシャル表示機能を備えたアクティブマトリクス型液晶表示装置が特許文献３に開示されている。
【特許文献１】特開平１２−８１６０６号公報
【特許文献２】特開２００３−１５０１２７号公報
【特許文献３】特開２００４−１２８９０号公報
【発明の開示】
【発明が解決しようとする課題】
【０００７】
本発明は、上述のようなＳＣ反転駆動方式のアクティブマトリクス型液晶表示装置において、パーシャル表示機能を実現する場合に、低消費電力化を図るものである。
【課題を解決するための手段】
【０００８】
本発明のアクティブマトリクス型液晶表示装置は、行列状に配置された複数の画素と、前記複数の画素毎に配置された画素電極と、前記画素電極と対向電極の間に封入された液晶と、前記画素電極それぞれに接続され、ゲート信号に応じてスイッチングするスイッチング素子と、前記ゲート信号を垂直クロックに基づいて出力する垂直駆動回路と、各行の画素に対応して配置された第１及び第２の補助容量ラインと、所定の周期で第１及び第２の補助容量ラインの電位が互いに逆相とするように反転駆動する補助容量ライン反転駆動回路と、前記第１補助容量ラインと前記画素電極との間に接続された第１の補助容量と、前記第２補助容量ラインと前記画素電極との間に接続された第２の補助容量と、パーシャル表示領域制御信号に応じて、複数の画素で構成される表示領域の中から選択されたパーシャル表示領域の各画素に前記スイッチング素子を通して所望のビデオ信号を供給してパーシャル表示を行う水平駆動回路と、を備え、前記補助容量ライン反転駆動回路は、パーシャル表示領域に対しては前記反転駆動を行い、パーシャル表示領域以外の表示領域である背景表示領域に対しては、前記反転駆動を停止することを特徴とするものである。
【０００９】
本発明のアクティブマトリクス型液晶表示装置によれば、パーシャル表示領域に対してのみ、補助容量ラインの反転駆動を行い、背景表示領域に対しては、補助容量ラインの反転駆動を停止するようにしたので、その分消費電力を低減できる。また、前記画素が接続されたドレインラインにプリチャージ信号を供給するプリチャージ回路を備え、このプリチャージ回路は前記背景表示領域に対しては前記プリチャージ信号を前記背景表示信号として供給するようにしたものである。
【００１０】
また、前記水平駆動回路は、前記背景表示領域に対してはビデオ信号の供給を停止することにより、さらに消費電力を低減することができる。また、前記背景表示領域に対する前記垂直クロックの周波数が前記パーシャル表示領域に対する前記垂直クロックの周波数に比して高いことを特徴とするものである。これにより、フレームレートが従来と同じ場合、背景表示領域の表示動作を高速に行う分、パーシャル表示領域のビデオ信号の書き込み動作を低速に行うことができるので、さらに消費電力を低減できる。
【００１１】
また、前記垂直駆動回路は、前記垂直クロックに応じて垂直スタート信号を順次シフトする直列に接続された複数のシフトレジスタユニットと、これらのシフトレジスタユニットのうち、互いに隣接する第１のシフトレジスタユニット及び第２のシフトレジスタユニットの出力と前記ゲート信号の出力を可能にする出力イネーブル信号が入力されたアンド回路を備え、前記背景表示領域に対しては前記ゲート信号の出力を可能にするように前記出力イネーブル信号のレベルを固定したことを特徴とするものである。
【００１２】
背景表示領域に同色信号を書き込み続けるため、隣接するゲートラインに出力されるゲート信号、ドレインラインに出力されるビデオ信号の相互干渉を考慮する必要がない。そのため、出力イネーブル信号を一定レベルに固定し、さらに消費電力を低減することができる。
【発明の効果】
【００１３】
本発明によれば、パーシャル表示機能を備えたアクティブマトリクス型液晶表示装置において、消費電力を低減できる。
【発明を実施するための最良の形態】
【００１４】
次に、本発明の実施形態に係るアクティブマトリクス型液晶表示装置について図面を参照しながら説明する。図１は、このアクティブマトリクス型液晶表示装置の回路図である。
【００１５】
このアクティブマトリクス型液晶表示装置は、ガラス基板上に行列状に配置された複数の画素ＧＳ１１，ＧＳ１２，・・からなる表示領域１０と、列方向に配列された各画素のスイッチングＴＦＴ１１のドレインに共通接続されたドレインライン２０−１，２０−２，・・・にビデオ信号を出力する水平駆動回路３０と、行方向に配列された各画素のスイッチングＴＦＴ１１のゲートに共通接続されたゲートライン４０−１，４０−２，・・・にゲート信号を出力する垂直駆動回路５０と、各行の画素に対応して行方向に延びる第１の補助容量ライン６１−１及び第２の補助容量ライン６２−１電位が互いに逆相となるように駆動する補助容量ライン反転駆動回路７０（以下、「ＳＣ反転駆動回路」と略称する）と、ドレインライン２０−１，２０−２，・・・にプリチャージ信号を供給するプリチャージ回路８０とを備えている。
【００１６】
以下、上記の各回路の構成について詳しく説明する。まず、表示領域１０において、第１行目については、赤色の画素ＧＳ１１、緑色の画素ＧＳ１２、青色の画素ＧＳ１３、赤色の画素ＧＳ１４、というように、赤、緑、青の順番に配置され、この配列が行方向に繰り返されている。同様に、第２行目についても、赤色の画素ＧＳ２１、緑色の画素ＧＳ２２、青色の画素ＧＳ２３、赤色の画素ＧＳ２４、というように、赤、緑、青の順番に配置され、この配列が行方向に繰り返されている。
【００１７】
１つの画素、例えば、画素ＧＳ１１内には、ゲートライン４０−１がゲートに接続されたスイッチングＴＦＴ１１、スイッチングＴＦＴ１１のソースに接続された画素電極１２、画素電極１２と対向電極１３の間に封入された液晶１４、画素電極１２と第１の補助容量ライン６１−１との間に接続された第１の補助容量１５が設けられている。また、画素ＧＳ１１に隣接する画素ＧＳ１２についても同様であるが、画素電極１２と第２の補助容量ライン６２との間に第２の補助容量１６が設けられている。
【００１８】
そして、画素ＧＳ１１に隣接する画素ＧＳ１３については、画素電極１２と第１の補助容量ライン６１−１との間に第１の補助容量１５が設けられている。即ち、ドット反転駆動を可能とするために、各画素内の補助容量は、第１の補助容量ライン６１−１と第２の補助容量ライン６２−１に交互に接続されている。
【００１９】
水平駆動回路３０は、外部から入力されるビデオ信号を出力する信号線Ｓ１，Ｓ２，・・と、これらの信号線Ｓ１，Ｓ２，・・からのビデオ信号をドレインライン２０−１，２０−２，・・・に選択的に出力するための第１のビデオスイッチ３１、第２のビデオスイッチ３２、第３のビデオスイッチ３３とを備えている。
【００２０】
例えば、赤色ビデオ信号イネーブル信号ＲＥＮＢがハイレベルになると、第１のビデオスイッチ３１がオンとなり、それにより信号線Ｓ１，Ｓ２，・・・から赤色のビデオ信号がドレインライン２０−１に出力される。次に、緑色ビデオ信号イネーブル信号ＧＥＮＢがハイになると、第２のビデオスイッチ３２がオンとなり、それに同期して信号線Ｓ１，Ｓ２，・・・から緑色のビデオ信号がドレインライン２０−２に出力される。次に、青色ビデオ信号イネーブル信号ＢＥＮＢがハイレベルになると、第３のビデオスイッチ３３がオンとなり、それに同期して信号線Ｓ１，Ｓ２，・・・から青色のビデオ信号がドレインライン２０−３に出力される。
【００２１】
ここで、水平駆動回路３０は、パーシャル表示領域制御信号ＥＮＢＳＣに応じて、複数の画素で構成される表示領域１０の中から選択されたパーシャル表示領域の各画素にビデオ信号を供給する。パーシャル表示領域制御信号ＥＮＢＳＣは、パーシャル表示領域を指定する制御信号であり、外部入力を受けた駆動ＩＣ（不図示）から供給される信号である。即ち、パーシャル表示領域制御信号ＥＮＢＳＣがロウレベルの期間がパーシャル表示領域に対応し、パーシャル表示領域制御信号ＥＮＢＳＣがハイレベルの期間が背景表示領域に対応する。
【００２２】
垂直駆動回路５０は、ゲートライン４０−１，４０−２，・・に順次ゲート信号ＧＬ１，ＧＬ２，・・を出力する回路である。この垂直駆動回路５０は、直列に接続された複数のシフトレジスタユニットＳ／Ｒ１，ＳＲ／２，ＳＲ／３，・・からなるシフトレジスタを備えている。このシフトレジスタは、１段目の第１のシフトレジスタユニットＳ／Ｒ１に入力される垂直スタート信号ＳＴＶを垂直クロックＣＫＶ１，ＣＫＶ２（ＣＫＶ２はＣＫＶ１の反転クロック）に基づいて順次シフトする。
【００２３】
そして、第１のシフトレジスタユニットＳＲ／１の出力、第２のシフトレジスタＳＲ／２の出力及び出力イネーブル信号ＥＮＢが入力された第１のアンド回路５１を備え、この第１のアンド回路５１から第１行目のゲートライン４０−１に第１のゲート信号ＧＬ１が出力される。
【００２４】
また、第２のシフトレジスタユニットＳＲ／２の出力、第３のシフトレジスタＳＲ／３の出力及び出力イネーブル信号ＥＮＢが入力された第２のアンド回路５２を備え、この第２のアンド回路５２から第２行目のゲートライン４０−２に第２のゲート信号ＧＬ２が出力される。出力イネーブル信号ＥＮＢは垂直クロックＣＫＶ１の半周期毎にロウレベルに立ち下がるクロックであり、隣接するゲートラインに出力されるゲート信号、例えば、ＧＬ１とＧＬ２との重なりを防止し、それらの信号の相互干渉を無くすための信号である。
ＳＣ反転駆動回路７０は、各行に対応して設けられたＳＣ反転制御ユニット７１，７２，・・・を備えており、ＳＣ反転制御ユニット７１，７２，・・・はそれぞれ対応する各行の第１及び第２の補助容量ライン６１，６２の電位を反転するための反転制御信号ＳＣ１，ＳＣ２，・・・をそれぞれ出力する。
【００２５】
そして、これらの反転制御信号ＳＣ１，ＳＣ２，・・・は各行に対応して設けられたスイッチＳＷ１，ＳＷ２，・・・のスイッチングをそれぞれ制御する。第１行に対応するＳＣ反転制御ユニット７１は、１フレーム期間毎に反転を繰り返すＳＣ基準信号ＣＫＶＳＣ、パーシャル表示領域制御信号ＥＮＢＳＣ及び第２のゲート信号ＧＬ２に基づいて、反転制御信号ＳＣ１を出力する。反転制御信号ＳＣ１は、第２のゲート信号ＧＬ２の立ち上がりに同期して１フレーム周期で反転を繰り返す。
【００２６】
例えば、反転制御信号ＳＣ１がハイレベルに変化すると、スイッチＳＷ１によって、第１の補助容量ライン６１の電位はロウレベル（ＶＳＳ）に遷移し、第２の補助容量ライン６２の電位はハイレベル（ＶＳＣＨ）に遷移し、反転制御信号ＳＣ１がロウレベルに変化すると、スイッチＳＷ１によって、第１の補助容量ライン６１の電位は逆にハイレベル（ＶＳＣＨ）に反転し、第２の補助容量ライン６１の電位はロウレベル（ＶＳＳ）に反転する。
【００２７】
このように本発明は、パーシャル表示領域制御信号ＥＮＢＳＣに応じて、表示領域１０の中から選択されたパーシャル表示領域に対してのみ、ＳＣ反転駆動回路７０の反転駆動を行い、背景表示領域に対しては反転駆動を停止し、消費電力を低減したものである。即ち、ＳＣ反転駆動回路７０の反転駆動は、パーシャル表示領域制御信号ＥＮＢＳＣがロウレベルであるパーシャル表示領域に対してのみ行われる。
【００２８】
そして、ＳＣ反転駆動回路７０の反転駆動は、パーシャル表示領域制御信号ＥＮＢＳＣがハイレベルである背景表示領域に対しては停止される。ＳＣ反転駆動回路７０の反転駆動が停止されるときは、背景表示領域に対応する反転制御信号は一定に固定され、これにより、背景表示領域に対応する第１の補助容量ライン６１及び第２の補助容量ライン６２はロウレベル又はハイレベルの一定電位に保たれる。
【００２９】
プリチャージ回路８０は、プリチャージ制御信号ＤＳＧに応じて、プリチャージ信号ＤＳＤをドレインライン２０−１，２０−２，２０−３、・・に出力するプリチャージスイッチ８１−１，８１−２，８１−３，・・を備えている。これらのプリチャージスイッチ８１−１，８１−２，８１−３，・・は、水平駆動回路３０からのビデオ信号が画素へ書き込まれる前に、オンする。すると、ドレインライン２０−１，２０−２，２０−３，・・はプリチャージ信号ＤＳＤのレベルに設定される。本発明では、このプリチャージ信号ＤＳＤを背景表示信号として利用したものであり、この信号を背景表示領域の各画素にスイッチングＴＦＴ１１を通して書き込むようにした。
【００３０】
次に、上述した構成のアクティブマトリクス型液晶表示装置の動作について詳細に説明する。まず、ＳＣ反転駆動が行われる場合の動作について説明する。このようなＳＣ反転駆動を伴う動作は、図２に示すような表示領域１０の全体に対して通常表示を行う場合（図２（ａ））と、パーシャル表示領域１０Ｐに対してのみ、パーシャル表示を行う場合に行われる。
【００３１】
図３は、水平走査系のタイミング図であり、画素へのプリチャージ信号及びビデオ信号の書き込みを説明する図である。図４、図５は垂直走査系のタイミング図であり、さらに詳しくは、図４は垂直駆動回路５０、ＳＣ反転駆動回路への入力信号のタイミング図、図５は、垂直駆動回路５０、ＳＣ反転駆動回路の内部信号のタイミング図である。
【００３２】
ゲート信号ＧＬ１がハイレベルに立ち上がると、第１行の各画素のスイッチングＴＦＴがオンし、水平同期信号Ｈｓｙｎｃに応じてプリチャージ制御信号ＤＳＧがパルス出力され、プリチャージ信号ＤＳＤがドレインライン２０−１，２０−２，２０−３・・に書き込まれる。その後、赤色ビデオ信号イネーブル信号ＲＥＮＢがパルス出力されると、第１のビデオスイッチ３１がオンし、信号線Ｓ１，Ｓ２，・・・から赤色のビデオ信号がドレインライン２０−１に出力され、スイッチングＴＦＴ１１を通して対応する赤色の画素に書き込まれる。
【００３３】
その後、緑色ビデオ信号イネーブル信号ＧＥＮＢがパルス出力されると、第２のビデオスイッチ３２がオンし、信号線Ｓ１，Ｓ２，・・・から緑色のビデオ信号がドレインライン２０−２に出力され、スイッチングＴＦＴ１１を通して対応する緑色の画素に書き込まれる。その後、青色ビデオ信号イネーブル信号ＢＥＮＢがパルス出力されると、第３のビデオスイッチ３３がオンし、信号線Ｓ１，Ｓ２，・・・から青色のビデオ信号がドレインライン２０−３に出力され、スイッチングＴＦＴ１１を通して対応する青色の画素に書き込まれる。
【００３４】
そして、ゲート信号ＧＬ１が立ち下がり、次のラインに対応するゲート信号ＧＬ２が立ち上がると、ＳＣ反転制御ユニット７１からの反転制御信号ＳＣ１が立ち上がり、それに応じて、スイッチＳＷ１によって、第１の補助容量ライン６１−１の電位はロウレベル（ＶＳＳ）に遷移し、第２の補助容量ライン６２−１の電位はハイレベル（ＶＳＣＨ）に遷移する。これにより、図６に示すように、画素ＧＳ１１の画素電極１２の電位は第１の補助容量１５の容量結合により負極性方向に変化し、隣接する画素ＧＳ１２の電位は第２の補助容量１６の容量結合により正極性方向に変化する。ここで、ドット反転駆動においては、互いに隣接した画素ＧＳ１１と画素ＧＳ１２に対して水平駆動回路３０から供給されるビデオ信号の極性は逆となっている。
【００３５】
なお、上述の動作は第１行のラインに関するものであるが、第２行のラインについても同様である。ただし、ＳＣ反転制御ユニット７２からの反転制御信号ＳＣ２と第１の補助容量ライン６１−２及び第２の補助容量ライン６２−２の極性は逆になる。
【００３６】
このようなＳＣ反転駆動によれば、ビデオ信号のビデオ信号の正・負極性間の電位差を小さくして、水平駆動回路の消費電力を下げることができるが、ＳＣ反転駆動そのものは電力消費を伴うものである。そこで、背景表示領域１０Ｂに対してはＳＣ反転駆動を停止することにより、さらなる低消費電力化を実現している。そのようなＳＣ停止動作の停止について図７を参照しながら説明する。
【００３７】
本実施形態では、１フレーム期間の中、最初の８０水平期間、即ち、第１ライン〜第８０ラインに対応する表示領域をパーシャル表示領域とし、残りの２４０ラインに対応する表示領域を背景表示領域として設定している。そして、パーシャル表示領域１０Ｐについては、パーシャル表示領域制御信号ＥＮＢＳＣはロウレベルに設定され、上述したＳＣ反転駆動が行われるが、背景表示領域１０Ｂについては、パーシャル表示領域制御信号ＥＮＢＳＣはハイレベルに固定され、この背景表示領域１０Ｂに対応したＳＣ反転駆動回路７０のＳＣ反転制御ユニットはすべて動作を停止する。
【００３８】
このとき、背景表示領域１０Ｂの各画素には、水平駆動回路３０から背景表示信号を供給してもよいが、プリチャージ制御信号ＤＳＧをハイレベルに固定し、プリチャージ信号ＤＳＤを背景表示信号として供給することが好ましい。これにより、水平駆動回路３０の動作を停止することができ、さらに消費電力を低減することができる。なお、背景表示信号は対向電極１３の一定電位に対して１Ｖ程度の低電圧の信号であり、ノーマリーホワイトの液晶表示装置では白表示となり、ノーマリーブラックの液晶表示装置では黒表示となる信号である。
【００３９】
また、背景表示領域１０Ｂに対する垂直クロックＣＫＶ１、ＣＫＶ２の周波数は、パーシャル表示領域１０Ｐに対する垂直クロックＣＫＶ１、ＣＫＶ２の周波数に比して高くすることが好ましい。背景表示領域１０Ｂは上述のように同色信号を書き込み続けるため、パーシャル表示領域１０Ｐのようにビデオ信号の立ち上がり時間等を考慮する必要がなく、高速な信号書き込みが可能だからである。これにより、フレームレートが従来と同じ場合、背景表示領域１０Ｂの表示動作を高速に行う分、パーシャル表示領域１０Ｐのビデオ信号の書き込み動作を低速に行うことができるので、さらに消費電力を低減できる。
【００４０】
また、背景表示領域１０Ｂに対しては、垂直駆動回路５０に入力される出力イネーブル信号ＥＮＢをハイレベルに固定して、さらなる低消費電力化を図ることができる。背景表示領域１０Ｂは上述のように同色信号を書き込み続けるため、隣接するゲートラインに出力されるゲート信号（例えばＧＬ１とＧＬ２）、ドレインラインに出力されるビデオ信号の相互干渉を考慮する必要がない。そのため、出力イネーブル信号ＥＮＢを一定レベルに固定し、さらに消費電力を低減することができる。
【図面の簡単な説明】
【００４１】
【図１】本発明の実施形態にかかるアクティブマトリクス型液晶表示装置の回路図である。
【図２】本発明の実施形態にかかるアクティブマトリクス型液晶表示装置における表示モードを示す図である。
【図３】本発明の実施形態にかかるアクティブマトリクス型液晶表示装置における水平走査系のタイミング図である。
【図４】本発明の実施形態にかかるアクティブマトリクス型液晶表示装置における垂直駆動回路５０、ＳＣ反転駆動回路への入力信号のタイミング図である。
【図５】本発明の実施形態にかかるアクティブマトリクス型液晶表示装置における垂直駆動回路５０、ＳＣ反転駆動回路の内部信号のタイミング図である。
【図６】本発明の実施形態にかかるアクティブマトリクス型液晶表示装置におけるＳＣ反転駆動による画素電位の変化を説明する図である。
【図７】本発明の実施形態にかかるアクティブマトリクス型液晶表示装置の動作を説明するタイミング図である。
【図８】アクティブマトリクス型液晶表示装置のドット反転駆動を説明する図である。
【符号の説明】
【００４２】
１０  表示領域          １１  スイッチングＴＦＴ      １２  画素電極
１３  対向電極          １４  液晶                    １５  第１の補助容量
１６  第２の補助容量    ２０−１、２０−２、２０−３  ドレインライン
３０  水平駆動回路      ３１  第１のビデオスイッチ    ３２  第２のビデオスイッチ
３３  第３のビデオスイッチ        ４０−１、４０−２  ゲートライン
５０  垂直駆動回路      ５１  第１のアンド回路        ５２  第２のアンド回路    
６１−１  第１の補助容量ライン    ６１−２  第２の補助容量ライン
７０  ＳＣ反転駆動回路            ７１、７２  ＳＣ反転制御ユニット
８０  プリチャージ回路    
８１−１、８１−２、８１−３  プリチャージスイッチ
Ｓ／Ｒ１，ＳＲ／２，ＳＲ／３  シフトレジスタユニット
【図１】
2006154088.tif 000003
【図２】
2006154088.tif 000004
【図３】
2006154088.tif 000005
【図４】
2006154088.tif 000006
【図５】
2006154088.tif 000007
【図６】
2006154088.tif 000008
【図７】
2006154088.tif 000009
【図８】
2006154088.tif 000010